(57)【要約】      （修正有）【課題】狭隘な箇所の清掃を容易にするモップ状の掃除具を提供する。【解決手段】掃除具は、操作棒３０と清掃ヘッド１０と連結部２０とを具備する。操作棒の端部には球体３２が配置される。清掃ヘッドの底面には清掃部材４０が配置される。連結部は清掃ヘッドの上面に配置され、球体が捜通する開口部２１を備える筒状の凸部、及び操作棒が嵌挿される切欠き部２２〜２４を備える。【選択図】図１
0003223476.tif 000002
【実用新案登録請求の範囲】
【請求項１】
端部に球体が配置される操作棒と、
底面に清掃部材が配置される清掃ヘッドと、
前記清掃ヘッドの上面に配置されて前記球体が捜通される開口部を備える筒状の凸部に構成されるとともに前記操作棒が嵌挿される切欠き部を備える連結部と
を具備する掃除具。
【請求項２】
前記清掃ヘッドは多角形の形状に構成され、
前記連結部は、前記清掃ヘッドの多角形の辺毎に前記切欠き部が配置される
請求項１記載の掃除具。
【考案の詳細な説明】
【技術分野】
【０００１】
本開示は、掃除具に関する。詳しくは、モップ状の掃除具に関する。
【背景技術】
【０００２】
従来、浴室内の壁面や天井面の清掃を容易にするための伸縮式のモップが使用されている。例えば、伸縮自在な構造を有する柄の先端部に拭取布ホルダーが備えられ、柄の向きが拭取布ホルダーに対して少なくとも前後方向に揺動自在である伸縮式モップが提案されている（例えば、特許文献１参照。）。この伸縮式モップでは、本体の拭取布ホルダーに拭取布が取り外し自在に備え付けられて使用される。柄が拭取布ホルダーに対して前後方向に揺動自在であるため、拭取布ホルダーを清掃箇所に対して好適な角度で当接することができ、容易に清掃することが可能となる。
【先行技術文献】
【特許文献】
【０００３】
【特許文献１】実用新案登録第３０７５３８０号公報
【考案の概要】
【考案が解決しようとする課題】
【０００４】
トイレ等において床面にこびりついた汚れを除去する際には、上述の掃除具や大型のポリッシャーを使用することができる。しかし、これらの掃除具では便器および壁の間等の狭い箇所の汚れの除去には対応できないという問題があった。このような狭い場所の清掃は手作業にて対応する必要があり、清掃作業員に大きな負担を強いることとなっていた。
【０００５】
本開示は、上述した問題点に鑑みてなされたものであり、狭隘な箇所の清掃を容易にすることを目的としている。
【課題を解決するための手段】
【０００６】
本開示は、上述の問題点を解消するためになされたものであり、その第１の態様は、端部に球体が配置される操作棒と、底面に清掃部材が配置される清掃ヘッドと、上記清掃ヘッドの上面に配置されて上記球体が捜通される開口部を備える筒状の凸部に構成されるとともに上記操作棒が嵌挿される切欠き部を備える連結部とを具備する掃除具である。
【０００７】
また、この第１の態様において、上記清掃ヘッドは多角形の形状に構成され、上記連結部は、上記清掃ヘッドの多角形の辺毎に上記切欠き部が配置されてもよい。
【０００８】
本開示の態様により、清掃ヘッドの連結部の開口部に操作棒の球体を捜通し、連結部の切欠き部に操作棒を嵌挿することにより、清掃ヘッドに操作棒を連結するという作用をもたらす。操作棒を介して清掃ヘッドを水平方向に移動させて清掃ヘッドの底面に配置された清掃部材により床面の清掃を行う際には、操作棒の連結が維持される。
【考案の効果】
【０００９】
本開示によれば、清掃ヘッドへの操作棒の取付けや取外しが可能となり、狭い場所であっても操作棒の配置方向を変更できる。清掃ヘッドを床面に載置したまま操作棒の操作位置を変更することができ、狭隘な箇所の清掃を容易に行うという優れた効果を奏する。
【図面の簡単な説明】
【００１０】
【図１】本開示の第１の実施の形態に係る掃除具の構成例を示す図である。
【図２】本開示の第１の実施の形態に係る掃除具の構成例を示す上面図である。
【図３】本開示の第１の実施の形態に係る掃除具の構成例を示す側面図である。
【図４】本開示の第１の実施の形態に係る掃除具の使用例を示す図である。
【図５】本開示の第２の実施の形態に係る掃除具の構成例を示す図である。
【考案を実施するための形態】
【００１１】
次に、図面を参照して、本開示を実施するための形態（以下、実施の形態と称する）を説明する。以下の図面において、同一または類似の部分には同一または類似の符号を付している。また、以下の順序で実施の形態の説明を行う。
１．第１の実施の形態
２．第２の実施の形態
【００１２】
＜１．第１の実施の形態＞
［掃除具の構成］
図１は、本開示の第１の実施の形態に係る掃除具の構成例を示す図である。同図は、掃除具１の構成例を模式的に表す図であり、掃除具１の使用状態を表す図である。同図の掃除具１は、清掃ヘッド１０と、連結部２０と、操作棒３０と、清掃部材４０とを備える。
【００１３】
清掃部材４０は、清掃箇所の汚れを除去するものである。この清掃部材４０は、例えば、スポンジ、ブラシ、研磨剤が塗布された不織布および金属たわしを使用することができる。また、紙状に構成された清掃部材４０を清掃ヘッド１０に取り外し自在に配置する構成を採ることもできる。
【００１４】
清掃ヘッド１０は、後述する操作棒３０が取り付けられるヘッド部分である。また、清掃ヘッド１０は、底部に清掃部材４０が配置される。この底部に配置された清掃部材４０を清掃箇所に押し当てて水平方向に移動させることにより、清掃箇所の汚れを除去することができる。清掃部材４０は、例えば、接着剤等により清掃ヘッド１０に接着して配置することができる。また、清掃ヘッド１０の上部には、後述する連結部２０が配置される。なお、同図の清掃ヘッド１０は、三角形の底面から連結部２０の円筒形の上面に向かって徐々に形状が変化する例を表したものである。図５において後述するように、三角形の板状の清掃ヘッド１０を使用することもできる。
【００１５】
操作棒３０は、掃除具１を使用する際の持ち手を構成する棒である。操作棒３０は、棒体３１と棒体３１の端部に配置される球体３２とにより構成され、上述の清掃ヘッド１０に連結される。棒体３１の他端は、清掃作業員等により把持される把持部３３を構成する。操作棒３０は、任意の長さに構成することができる。なお、操作棒３０にモータ等を内蔵して振動を発生させ、連結された清掃ヘッド１０を振動させて床面の汚れを除去する構成を採ることもできる。
【００１６】
連結部２０は、清掃ヘッド１０の上面に配置されて操作棒３０を清掃ヘッド１０に連結するものである。この連結部２０は、中央部に開口部２１が形成された筒状の凸部に構成されるとともに切欠き部２２乃至２４が配置される。開口部２１には、操作棒３０の球体３２が捜通される。同図の矢印は、球体３２の開口部２１への捜通を表す。この際、操作棒３０（の棒体３１）を切欠き部２２乃至２４の何れかに嵌挿させることにより、操作棒３０が清掃ヘッド１０に連結される。同図は、操作棒３０が切欠き部２２に嵌挿される例を表したものである。
【００１７】
図２は、本開示の第１の実施の形態に係る掃除具の構成例を示す上面図である。同図の清掃ヘッド１０は、三角形の形状に構成される例を表したものである。連結部２０の切欠き部２２乃至２４は、清掃ヘッド１０の辺に隣接して配置される。連結部２０の開口部２１は、操作棒３０の球体３２を捜通可能とするため、球体３２より大きな径に構成される。操作棒３０を切欠き部２２乃至２４の何れかに嵌挿させることにより、操作棒３０を清掃ヘッド１０に対して横倒しの状態に連結することができる。球体３２の径より切欠き部２２等の幅を小さくすることにより、連結された操作棒３０の水平方向の離脱を防ぐことができる。清掃の際には、清掃作業員が把持部３３を把持して床面等の清掃箇所に対して水平方向に動かすことにより、操作棒３０が清掃ヘッド１０に連結された状態を保ちながら清掃ヘッド１０の底部の清掃部材４０を清掃箇所にこすり付けることができる。
【００１８】
なお、清掃箇所に応じて異なる大きさの清掃ヘッド１０を使用することができる。例えば、辺の長さが１６ｍｍ、３２ｍｍ、６４ｍｍおよび１２８ｍｍの清掃ヘッド１０を使用することができる。これらの清掃ヘッド１０の連結部２０を共通の大きさに構成することにより、単一の操作棒３０にて複数の清掃ヘッド１０に対応させることができる。
【００１９】
一方、連結された操作棒３０を垂直方向に移動させると操作棒３０を清掃ヘッド１０から容易に取り外すことができる。掃除具１の使用後の清掃ヘッド１０や清掃部材４０の洗浄を容易に行うことができる。
【００２０】
図３は、本開示の第１の実施の形態に係る掃除具の構成例を示す側面図である。同図は、操作棒３０が清掃ヘッド１０に連結された状態を表す図である。同図の破線は操作棒３０の形状を表し、１点鎖線は開口部２１の形状を表す。球体３２の径より深い開口部２１を配置することにより、操作棒３０を水平方向に動かした際の操作棒３０の離脱を防ぐことができる。
【００２１】
図４は、本開示の第１の実施の形態に係る掃除具の使用例を示す図である。同図は、操作棒３０を切欠き部２３に嵌挿させて連結した後に、球体３２を開口部２１に捜通させた状態において操作棒３０の嵌挿位置を切欠き部２２に変更する例を表したものである。これは、例えば、球体３２を開口部２１に捜通させた状態にして操作棒３０を直立させた後に切欠き部２２側に倒して嵌挿することにより行うことができる。このように、操作棒３０の嵌挿位置を変更することにより、清掃ヘッド１０の位置を変えずに操作棒３０の把持位置を変更することができる。例えば、便器の背部等の狭隘な箇所を清掃する際に、操作棒３０を切欠き部２３に嵌挿させて、清掃作業員が同図の左方から操作棒３０を押して清掃部材４０により床面を擦る。次に、清掃作業員が同図の右方に移動して操作棒３０の嵌挿位置を切欠き部２２に変更し、同図の右方向に操作棒３０を引いて床面を擦ることにより、清掃ヘッド１０を一方向に移動させることができる。毛髪等のごみを一方向に集めることが可能となる。
【００２２】
また、開口部２１に球体３２を捜通させることにより操作棒３０を連結する構成であるため、掃除具１の構成を簡略化することができる。連結部２０に塵等が詰まった場合であっても容易に清掃することができる。
【００２３】
以上説明したように、本開示の第１の実施の形態の掃除具１は、開口部２１および切欠き部２２乃至２４を備えて筒状に構成される連結部２０を備える。この開口部２１に操作棒３０の球体３２を捜通するとともに切欠き部２２等に操作棒３０を嵌挿させることにより、清掃ヘッド１０への操作棒３０の連結を容易に行うことができ、操作棒３０の連結位置を容易に変更することができる。これにより、狭隘な箇所の清掃を容易に行うことができる。
【００２４】
＜２．第２の実施の形態＞
上述の第１の実施の形態の掃除具１は、三角形の形状の清掃ヘッド１０を使用していた。これに対し、本開示の第２の実施の形態の掃除具１は、台形の形状の清掃ヘッド１０を使用する点で、上述の第１の実施の形態と異なる。
【００２５】
［掃除具の構成］
図５は、本開示の第２の実施の形態に係る掃除具の構成例を示す図である。同図におけるＡは、掃除具１の上面図を表す。同図におけるＢは、掃除具１の側面図を表す。同図の清掃ヘッド１０は、台形の形状に構成される点で、図２において説明した清掃ヘッド１０と異なる。また、同図の連結部２０は、４つの切欠き部を備える点で、図２において説明した連結部２０と異なる。
【００２６】
同図の清掃ヘッド１０は、切欠き部２２乃至２５を備える。これらの切欠き部２２乃至２５は、台形の辺毎に配置される。同図の清掃ヘッド１０の辺の上底及び下底部分を使用して壁に接する部分の床の清掃を行うことができる。また、清掃ヘッド１０の鋭角に構成される角部を使用することにより、隙間や部屋の隅の清掃を容易に行うことができる。
【００２７】
また、同図の清掃ヘッド１０は、板状に構成される例を表したものである。なお、清掃ヘッド１０の構成は、この例に限定されない。例えば、六角形等の他の多角形や円形状に構成することもできる。また、連結部２０に２つの切欠き部を備える構成にすることもできる。具体的には、切欠き部２３および２５を省略し、切欠き部２２および２４を備える構成にすることもできる。
【００２８】
これ以外の掃除具１の構成は本開示の第１の実施の形態において説明した掃除具１の構成と同様であるため、説明を省略する。
【００２９】
以上説明したように、本開示の第２の実施の形態の掃除具１は、台形の形状に構成される清掃ヘッド１０を備え、狭隘な箇所の清掃における利便性を向上させることができる。
【００３０】
最後に、上述した各実施の形態の説明は本開示の一例であり、本開示は上述の実施の形態に限定されることはない。このため、上述した各実施の形態以外であっても、本開示に係る技術的思想を逸脱しない範囲であれば、設計等に応じて種々の変更が可能であることは勿論である。
【００３１】
また、本明細書に記載された効果はあくまで例示であって限定されるものでは無い。また、他の効果があってもよい。
【００３２】
また、上述の実施の形態における図面は、模式的なものであり、各部の寸法の比率等は現実のものとは必ずしも一致しない。また、図面相互間においても互いの寸法の関係や比率が異なる部分が含まれることは勿論である。
【符号の説明】
【００３３】
１  掃除具
１０  清掃ヘッド
２０  連結部
２１  開口部
２２〜２５  切欠き部
３０  操作棒
３１  棒体
３２  球体
３３  把持部
４０  清掃部材
【図１】
0003223476.tif 000003
【図２】
0003223476.tif 000004
【図３】
0003223476.tif 000005
【図４】
0003223476.tif 000006
【図５】
0003223476.tif 000007